(57)【特許請求の範囲】
【請求項１】
時計内で動作し、直流電圧を供給する蓄電池（２）等の電源により電源供給を受けるエレクトロルミネセンス・ランプ（７）用電力供給回路において、
一次巻線（４）を一方の側に備え、且つ、前記エレクトロルミネセンス・ランプ（７）の２個の電極に接続されて共振ＬＣループを形成する二次巻線（６）を他方の側に備えた変成器（４，６）と、
実質上周期的な制御信号に応答して前記直流電圧を前記一次巻線（４）に印加することで実質上周期的な強度をもつ電流を前記一次巻線に生成する接続手段（Ｔ１，Ｔ２，Ｔ３，Ｔ４，８，１９，２０）であって、該接続手段が、前記制御信号に応答し、前記電流が前記一次巻線（４）において一方向に循環して流れる第１の状態と前記電流が前記一次巻線（４）において他方向に循環して流れる第２の状態とを周期的に切り換える接続手段と、
一方の端子（１５ｂ）が前記変成器の一次巻線（４）の一端に接続されると共に該一次巻線に直列に接続され、前記接続手段を直列に介して前記電源の端子に接続されたキャパシタ（１５）と、
前記接続手段に前記制御信号を伝達するように、前記キャパシタ（１５）の前記一方の端子（１５ｂ）と前記接続手段との間の接続を形成するフィードバックライン（１３）と、を有することを特徴とするエレクトロルミネセンス・ランプ用電力供給回路。
【請求項２】
時計内で動作し、直流電圧を供給する蓄電池（２）等の電源により電源供給を受けるエレクトロルミネセンス・ランプ（７）用電力供給回路において、
一次巻線（４）を一方の側に備え、且つ、前記エレクトロルミネセンス・ランプ（７）の２個の電極に接続されて共振ＬＣループを形成する二次巻線（６）を他方の側に備えた変成器（４，６）と、
実質上周期的な制御信号に応答して前記直流電圧を前記一次巻線（４）に印加することで実質上周期的な強度をもつ電流を前記一次巻線に生成する接続手段（Ｔ１，Ｔ２，Ｔ３，Ｔ４，８，１９，２０）であって、該接続手段が、前記制御信号に応答し、前記電流が前記一次巻線（４）において一方向に循環して流れる第１の状態と前記電流が前記一次巻線（４）において他方向に循環して流れる第２の状態とを周期的に切り換える接続手段と、を具備し、
フィードバックライン（１３）が前記接続手段に前記二次巻線の一端の電位を前記制御信号として伝達するように、前記二次巻線（６）と前記エレクトロルミネセンス・ランプ（７）との接続点と前記接続手段との間の接続を抵抗（２６）を介して形成することを特徴とするエレクトロルミネセンス・ランプ用電力供給回路。
【請求項３】
前記抵抗（２６）は、該抵抗の端子の１つによって前記変成器の二次巻線（６）の一端に接続され、かつ前記フィードバックライン（１３）と直列に接続されることを特徴とする請求項２に記載の電力供給回路。
【請求項４】
前記接続手段は、２対のスイッチング素子（Ｔ１，Ｔ２，Ｔ３，Ｔ４）を具備し、第１の対の第１及び第２の素子は、前記一次巻線（４）の一端と電圧源の正極性及び負極性の各端子との間にそれぞれ接続され、第２の対の第１及び第２の素子は、前記一次巻線の他端に前記一方の端子（１５ｂ）が接続される前記キャパシタ（１５）の他方の端子（１５ａ）と前記電圧源の正極性及び負極性の各端子との間にそれぞれ接続されており、前記接続手段が前記第１の状態にある時は、前記第１の対の第１の素子が導通して第２の素子が遮断状態となり、且つ、前記第２の対の第１の素子が遮断状態となって第２の素子が導通するように制御され、前記接続手段が前記第２の状態にある時は、前記第１の状態において導通するスイッチング素子が遮断状態となり、且つ、前記第１の状態において遮断状態となるスイッチング素子が導通するように制御されることを特徴とする請求項１に記載の電力供給回路。
【請求項５】
前記接続手段は、２対のスイッチング素子（Ｔ１，Ｔ２，Ｔ３，Ｔ４）を具備し、第１の対の第１及び第２の素子は、前記一次巻線（４）の一端と電圧源の正極性及び負極性の各端子との間にそれぞれ接続され、第２の対の第１及び第２の素子は、前記一次巻線の他端と前記電圧源の正極性及び負極性の各端子との間にそれぞれ接続されており、前記接続手段が前記第１の状態にある時は、前記第１の対の第１の素子が導通して第２の素子が遮断状態となり、且つ、前記第２の対の第１の素子が遮断状態となって第２の素子が導通するように制御され、前記接続手段が前記第２の状態にある時は、前記第１の状態において導通するスイッチング素子が遮断状態となり、且つ、前記第１の状態において遮断状態となるスイッチング素子が導通するように制御されることを特徴とする請求項２又は３に記載の電力供給回路。
【請求項６】
前記スイッチング素子（Ｔ１，Ｔ２，Ｔ３，Ｔ４）はスイッチング用トランジスタで構成されることを特徴とする請求項４又は５に記載の電力供給回路。
【発明の詳細な説明】
【０００１】
【産業上の利用分野】
本発明は、エレクトロルミネセンス・ランプ（以下単に「ＥＬ」と称する）のための電力供給回路に係り、特に、蓄電池により電源供給を受ける時計に組み込まれて作動するよう構成されたＥＬランプ用電力供給回路に関する。
【０００２】
【従来の技術】
従来、ＥＬランプがキャパシタと実質上同じ電気的特性を有し、従って、共振周波数に調整されている電源をもつ共振回路においてＥＬランプがインダクタに接続された場合には当該ＥＬランプに供給するのに必要とされるエネルギーが低減され得ることは、米国特許第３，７４９，９７７号から知られている。
【０００３】
ＥＬランプの端子に供給されなければならない交流電圧は、一般には数十Ｖ、典型的にはピーク値で７５Ｖである。例えば、エネルギー源として公称１．５Ｖ又は３Ｖの電圧を供給する蓄電池を用いた場合、かなりの電圧ゲインを生じる電圧逓倍手段を用いなければならないであろう。
蓄電池により電源供給を受ける電圧逓倍手段は、変成器によって形成され得ることはもちろんであるが、この場合、変成器の一次巻線は蓄電池により間欠的に電源供給を受け、また二次巻線は、ＥＬランプによって容量が形成されているＬＣ共振回路のインダクタンスを形成する。かかる状況において、その変成器の一次巻線の巻数と二次巻線の巻数の比を選定することにより、変成器のゲイン、ひいてはＥＬランプの端子電圧を調整することができる。
【０００４】
米国特許第４，２０８，８６９号には、上述したタイプの電力供給回路を幾つか備えたものが開示されている。これら電力供給回路の各々において、変成器の一次巻線は、スイッチングトランジスタと直列に接続された蓄電池の端子に接続されており、そのスイッチングトランジスタのゲートに適当な周波数をもつ制御パルスを印加することで、変成器の一次巻線に流れる電流を制御している。
【０００５】
【発明が解決しようとする課題】
上述したタイプの配置構成は不利な点を有している。すなわち、このタイプの回路では、蓄電池に対する一次巻線とスイッチングトランジスタの接続形態に依存して、電流は変成器の一次巻線において一方向にのみ循環して流れる。かかる状況において、その変成器の一次巻線において循環する電流は、厳密に言えば、交流ではない。この電流は、実際には、真の交流成分と直流成分の和で形成されているかも知れない。かかる直流成分は変成器の二次巻線に電圧を誘起することはできないので、結果として純粋な損失が生じる。
【０００６】
本発明の目的は、一次巻線が蓄電池により電源供給を受け、その一次巻線において循環して流れる電流が直流成分を含まない変成器を備えたＥＬランプ用電力供給回路を提供することにある。
本発明の他の目的は、比較的小さい電圧ゲインを有する変成器を備えて作動することができるＥＬランプ用電力供給回路を提供することにある。
【０００７】
【課題を解決するための手段】
本発明によれば、直流電圧を供給する蓄電池等の電源により電源供給を受けるＥＬランプ用電力供給回路であって、一次巻線を一方の側に備え、且つ、ＥＬランプの２個の電極に接続されて共振ＬＣループを形成する二次巻線を他方の側に備えた変成器と、実質上周期的な制御信号に応答して前記直流電圧を前記一次巻線に印加することで実質上周期的な強度をもつ電流を前記一次巻線に生成する接続手段とを具備する電力供給回路において、前記接続手段が、前記制御信号に応答し、前記電流が前記一次巻線において一方向に循環して流れる第１の状態と前記電流が前記一次巻線において他方向に循環して流れる第２の状態とを周期的に切り換えることを特徴とするＥＬランプ用電力供給回路が提供される。
【０００８】
本発明の好適な実施態様によれば、上記制御信号を供給するための制御手段が更に設けられる。この制御手段は、変成器の一次巻線の一端と接続手段の間に介在されたキャパシタを有しており、このキャパシタの特定の電極における電位レベルは、接続手段のための制御信号として用いられる。
【０００９】
【作用】
上述した特徴事項によれば、一次巻線において電流が循環して流れる方向は周期的に反転されるので、その電流は実質上交流となり、直流成分を含まない。かかる状況において、一次巻線から二次巻線への電気エネルギーの伝達レートは最適化される。
【００１０】
本発明の他の利点は、接続手段が第１の状態から第２の状態へ又はその逆方向に遷移する期間中に観測される一次巻線の両端間の電圧の変動ｄＶが、電圧源の端子間の電位差の２倍に等しいことである。かかる状況において、変成器に必要とされる変成比は、例えば前述の米国特許第４，２０８，８６９号の教示に従って作られた変成器と比べて１／２に低減される。この結果として、より小さい電圧ゲインを有する変成器、ひいてはより少ない巻数の二次巻線を備えた変成器を使用することができる。時計の分野においては、利用できるスペースは非常に限られており、そのために、変成器の二次巻線に薄膜状のワイヤを使用するのが一般的である。しかしこのような薄膜状のワイヤは、無視できないオーム抵抗を有している。本発明によれば、巻数の減少により比較的大きいワイヤを使用することができ、それによって、より効率の良い変成器を得ることが可能となる。
【００１１】
また、本発明の好適な実施態様によれば、電力供給回路は二重の共振、すなわち、二次巻線とＥＬランプによって形成されるループにおける共振と、一次巻線及びこれに接続されたキャパシタを含むループにおける共振とを行う。適当な容量のキャパシタを選定することにより、一次巻線における共振周波数を二次巻線における共振周波数と実質上等しくすることができる。これら二つの共振の結合は重要であり、その結果、回路全体としては、二次巻線における共振周波数と実質上等しい共振周波数となるよう制御される。
【００１２】
さらに、共振時において、二次巻線に循環して流れる電流によって生成される誘導磁束により一次巻線に電圧が誘起される。この電圧は、接続手段を介して供給される電圧とは逆位相である。かかる状況において、一次巻線に循環して流れる電流は最小化され、電力消費もそれに応じて低減される。
本発明の好適な実施態様に係る他の利点は、制御手段のフィードバックループが変成器の一次巻線側に形成されるが故に、変成器の巻線の巻線方向が重要でなくなるということである。時計の分野において用いられる変成器は非常に小さいサイズで形成されなければならないので、上述したように巻線の極性を考慮に入れる必要がないという事実により、電力供給回路の全体の動作をかなり単純化することができる。
【００１３】
本発明の好適な実施態様に係る更に他の利点は、後述するように、変成器の二つの巻線を誘導的に接続している接片の製造上の欠陥による影響をそれほど受けないことである。
本発明の他の特徴及び有利な点については、限定的ではない具体例を用いて添付図面を参照しつつ以下に記載される事項から、より明らかになるであろう。
【００１４】
【実施例】
図１は本発明に係るＥＬランプ用電力供給回路の第１実施例を示す。本実施例において、回路の動作に必要なエネルギーは、参照番号２で示される蓄電池により供給される。電力供給回路が電子時計に組み込まれた場合に、蓄電池２は、この時計の他の回路へのエネルギーの供給をも保証するであろう。
【００１５】
電力供給回路は、先ず、それぞれ参照番号４及び６で示される二つの巻線を備えた変成器を具備する。本発明によれば、二次巻線６の端子は各々、参照番号７で示されるキャパシタの形態でシンボル的に表されているＥＬランプの各々の電極に接続されている。また、変成器の一次巻線４は、接続手段を介して蓄電池２の端子に接続されている。
【００１６】
本実施例において、接続手段は、参照符号Ｔ１及びＴ２で示される二つのスイッチング用Ｐチャネルトランジスタと、参照符号Ｔ３及びＴ４で示される二つのスイッチング用Ｎチャネルトランジスタとにより形成されている。これらのトランジスタは、特定のブリッジ構造を形成するように互いに接続されている。この特定のタイプのブリッジはＨブリッジと呼ばれており、それ自体、当業者にはよく知られている。Ｈブリッジは、ステッピング・マイクロモータの電力供給回路に用いられる。
【００１７】
本実施例において、トランジスタＴ１及びＴ３の各ドレインは一次巻線４の一方の端子に接続され、トランジスタＴ２及びＴ４の各ドレインは一次巻線４の他方の端子に接続されている。ＰチャネルトランジスタＴ１及びＴ２の各ソースは蓄電池２の正極性の端子に接続され、ＮチャネルトランジスタＴ３及びＴ４の各ソースは蓄電池２の負極性の端子に接続されている。また、トランジスタＴ１及びＴ３の各ゲートは接続ノード１０に接続され、トランジスタＴ２及びＴ４の各ゲートはインバータ８を介して接続ノード１０に接続されている。
【００１８】
図１の回路は更に、Ｈブリッジの４個のトランジスタに対して制御信号を供給するための制御手段を具備する。本実施例において、この制御手段はマイクロコントローラ１２により構成され、このマイクロコントローラ１２は、クロック手段と共に用いられ、接続ノード１０を介してトランジスタＴ１及びＴ３の各ゲートに接続されると共に接続ノード１０及びインバータ８を介してトランジスタＴ２及びＴ４の各ゲートに接続された制御出力を有している。電力供給回路が電子時計に組み込まれた場合に、マイクロコントローラ１２は、この時計の他の機能を制御するように設けてもよい。
【００１９】
電力供給回路を組み込んだ時計は、好ましくは、ＥＬランプ７のための電力供給回路を起動させたり停止させたりするためにその時計を装着している者によって活性化され得る制御装置（図示せず）を備えている。電力供給回路を起動すると、マイクロコントローラ１２は、連続する“Ｈ”レベル状態及び“Ｌ”レベル状態に対応した方形波の制御信号をスイッチング用トランジスタＴ１〜Ｔ４に出力する。この制御信号の周波数は、変成器の二次巻線及びＥＬランプ７により形成されるＬＣループの共振周波数と実質上等しくなるよう設定されている。
【００２０】
トランジスタＴ１，Ｔ３の各ゲートはノード１０に直接接続されているので、これらトランジスタは、マイクロコントローラ１２によって供給される連続する“Ｈ”レベル状態及び“Ｌ”レベル状態を同時に受信する。トランジスタＴ２，Ｔ４はインバータ８を介してノード１０に接続されているので、それぞれのゲートに受信された論理信号は、トランジスタＴ１，Ｔ３の各ゲートに受信された論理信号に対し逆位相となっている。さらに、トランジスタＴ１，Ｔ２はＰチャネル型で、トランジスタＴ３，Ｔ４はＮチャネル型であるので、以下のことが理解されるであろう。すなわち、マイクロコントローラ１２によって供給される論理信号が“Ｈ”レベル状態にある時、変成器の一次巻線４は蓄電池２からトランジスタＴ２，Ｔ３を介して電源供給を受け、これによって電流が一方向に循環して流れる。一方、その論理信号が“Ｌ”レベル状態にある時、一次巻線４は蓄電池２からトランジスタＴ１，Ｔ４を介して電源供給を受け、これによって電流が他方向に循環して流れる。
【００２１】
上述した構成によれば、変成器の一次巻線４に供給される交流電圧は、蓄電池２の端子間電圧の２倍に等しいピーク−ピーク値を有することになる。この結果、変成器に必要とされる変成比は、従来技術の回路に比べて小さくなる。さらに、回路の作動時間は、電流が一方向に循環している時の半周期と電流が他方向に循環している時の半周期とに分割されるので、この電流は直流成分を含んでいない。
【００２２】
また、図１の構成によれば、ＥＬランプ７は二次巻線６と共にＬＣループを形成している。かかる状況において、マイクロコントローラ１２により生成される制御信号の周波数がこのＬＣループの共振周波数に実質上等しい場合、ＥＬランプ７の端子間電圧は、二次巻線６に誘起される電圧に実質上等しくなる。この電圧は変成器の変成比によって決定される。
【００２３】
図２は本発明に係るＥＬランプ用電力供給回路の第２実施例を示す。図中、図１の回路で用いられたものと同じ構成要素については、同じ参照符号が付されている。
図２に示すＥＬランプ用電力供給回路を構成する要素は、集積回路チップ内で実現されるものである。ただし本実施例では、参照番号１５で示されるキャパシタと巻線４及び６を備える変成器については、集積回路チップの外部で実現されている。巻線４とキャパシタ１５は、互いに直列に接続されると共に、参照符号Ｍ１及びＭ２で示される二つの接続端子によってチップに結合されている。図２において、集積回路チップの縁は、参照番号１７で示される枠によって表されている。また、集積回路チップは、参照符号ＩＮで示される第３の接続端子を備えている。この端子は、Ｈブリッジのための制御信号を、一端がキャパシタ１５の電極１５ｂに接続されているフィードバックライン１３を介して受信するよう設けられている。
【００２４】
図１に示される回路と同様に、図２の回路は、その電圧が（慣例的にＶｄｄ及びＶｓｓと呼ばれている）二つの供給電位の差電圧を決定する蓄電池により電源供給を受けている。図示の簡単化のため、蓄電池及びその電圧供給ラインについては示していない。
前述した実施例と同様に、変成器は、各々の端子がＥＬランプ７の各々の電極に接続された二次巻線６と、Ｈブリッジの二つの半分体に接続された一次巻線４とを備えている。
【００２５】
本実施例では、前述した実施例とは異なり、Ｈブリッジの各々の半分体は、二つのスイッチング用トランジスタ（それぞれＴ１，Ｔ３、及びＴ２，Ｔ４）に加えて、それぞれ参照番号１９及び２０で指示されるブロックによって示されるモジュールを備えている。モジュール１９は、ノード１０とトランジスタＴ１，Ｔ３の各ゲートとの間に介在され、一方、モジュール１９と同じ構成のモジュール２０は、ＮＡＮＤゲート８とトランジスタＴ２，Ｔ４の各ゲートとの間に介在されている。
【００２６】
モジュール１９及び２０の各々の機能は、制御手段により供給される制御信号が“Ｌ”レベル状態から“Ｈ”レベル状態に（又はその逆に）遷移した時に、Ｈブリッジの各々の半分体を形成するＰチャネルトランジスタとＮチャネルトランジスタが同時に導通するのを防止することである。スイッチング用トランジスタの状態を変えるのに必要な電圧は正確な精度をもって定義することはできない。また、トランジスタの状態の変化は瞬間的ではない。かかる状況において、それなりの準備が予めなされていない場合には、電流は、一次巻線４に流れることなく、ＰチャネルトランジスタとＮチャネルトランジスタの間で純粋な損失として消費されるであろう。このような問題を解消するために、各モジュール１９，２０は、制御信号のレベル遷移時に、非導通状態のトランジスタが導通する前に導通状態のトランジスタが完全にカットオフするのに十分な時間だけその導通状態のトランジスタを「待ち」状態とさせる。このようなタイプの通過電流抑制モジュールは、ＡＣＩ（Anti Current Inverter)の名で当業者には一般に知られている。
【００２７】
ここで留意すべきことは、ＡＣＩは本実施例の必須の特徴ではないということである。なぜならば、図２の回路は、そのようなＡＣＩが無くても機能するよう適合させることは容易であるからである。
ＡＣＩに供給される制御信号は制御手段によって生成され、本実施例では、この制御手段は、チップ１７の端子ＩＮに接続されているフィードバックライン１３によって形成されている。また、既に説明したキャパシタ１５は巻線４に直列に接続され、更にＨブリッジの二つの半分体に接続されている。より正確には、キャパシタ１５の電極１５ａは端子Ｍ１を介してＨブリッジの一方の半分体に接続され、他方の電極１５ｂは巻線４の一端に接続されている。
【００２８】
キャパシタ１５とフィードバックライン１３の存在により、Ｈブリッジ及び変成器の一次巻線によって形成されるアセンブリは、発振回路として機能する。キャパシタ１５はＨブリッジの「水平方向の枝」に設けられるので、このキャパシタ１５には、Ｈブリッジの二つの半分体の間を循環する全ての電流が流れる。この電流によりキャパシタ１５は充電され、それによって、巻線４の一端に接続されているキャパシタ１５の電極１５ｂの電位は、端子Ｍ２を介して巻線４の他端に供給される電位に徐々に近づく。キャパシタ１５の電極１５ｂの電位は、フィードバックライン１３を介してノード１０に、ひいては二つのＡＣＩに伝達される。フィードバックライン１３によって伝達された電位がＡＣＩをスイッチするのに必要な電圧値に達すると、Ｈブリッジにおける極性が反転され、電極１５ｂの電位はＶｄｄとＶｓｓの電位差に等しい量だけ急激に変化する。次いで、Ｈブリッジ内を循環する電流により、電極１５ｂの電位は端子Ｍ２の電位に徐々に近づき、最終的に電極１５ｂの電位はＡＣＩをスイッチするのに必要な電圧値に達する。
【００２９】
本実施例では、一次巻線４における電流の発振周波数は、一方では変成器の誘導特性に依存し、他方ではキャパシタ１５の容量に依存することが理解されるであろう。ここに、もしキャパシタ１５の容量の値が適当に選ばれたならば、共振時に、キャパシタ１５の電極１５ｂにおける電位の変動は、ＥＬランプ７の一方の電極における電位の変動と同相になる。つまり共振時に、キャパシタ１５は、ＥＬランプ７それ自体の容量のミラー容量のように機能する。
【００３０】
また、図２を参照すると、フィードバックライン１３は参照番号２２で示されるノードを通過している。このノード２２には、二つのダイオード２３及び２４が周知の方法で接続されている。各ダイオード２３，２４の機能は、集積回路を過電圧から保護することである。
変成器の一次巻線から出た信号を伝達するフィードバックライン１３によって制御される回路の使用に関しては、多くの利点がある。先ず、フィードバックライン１３を用いることにより、図１に示した実施例で用いられる外部発振器を不要とすることができる。また、フィードバックライン１３によって伝達される信号が変成器の一次巻線から供給されることにより、巻線の巻線方向は重要でない事項となる。
【００３１】
フィードバックラインによる制御手段を用いる他の利点は、本発明に係る回路の正確な動作が共振周波数の値にそれほど影響されないということである。
変成器の二次巻線側の共振周波数が、変成器における誘導係数に依存し、特に高い磁化率をもつ材料で作られた接片の品質に依存することは知られている。時計の分野において、巻線のための接片は極めて小さい寸法で形成されなければならない。かかる状況において、従来の大量生産方法では、一つのサンプルと別のサンプルとの間で性能の僅かな変動を解消することはできなかった。従って、同じ供給回路の二つのサンプル間で共振周波数の僅かな変動を無くすことは困難であった。
【００３２】
共振周波数は電力供給回路の各サンプル毎に異なっているかも知れないので、所定周波数の制御信号は、共振時において回路サンプルの一部分を活性化することができるだけであろう。
図２に関連して説明した実施例において、制御手段により一次巻線に生成された共振周波数は、二次巻線における共振周波数に対応していなければならない。しかしながら、接片に生じる欠陥等により変成器の誘導係数も同じようにして徐々に影響を受ける。言い換えると、これらの欠陥等は、一次巻線側の共振周波数と二次巻線側の共振周波数に同じ割合で影響を与える。かかる状況において、一次巻線を二次巻線に適合させるためにキャパシタ１５の容量として与えなければならない値は、実質的には両方の巻線間の巻数比にのみ依存し、接片の磁気特性には殆ど依存しない。
【００３３】
図２の実施例の第３の利点は、一次巻線側のループにおけるキャパシタ１５の存在により、蓄電池の一方の端子と他方の端子との間で連続的な電荷の流れを防止できることである。かかる状況において、スイッチング接続手段の周期的な切り換えを阻止し、本発明に係る電力供給回路を完全に非活性状態とすることができる。また、キャパシタ１５の存在により休止状態の時の回路の電力消費は実質上ゼロとなる。この後者の利点を実現するために、図１に示されるインバータ８は、図２において同じ参照番号８で示されるＮＡＮＤゲートに置き換えられる。このＮＡＮＤゲート８の第２の入力（つまり、制御信号を受信しない方の入力）は、電力供給回路を活性化又は非活性化するための論理制御信号を受信する。ＮＡＮＤゲート８の第２の入力の論理制御信号が“１”レベルの時、当該ＮＡＮＤゲートは、その第１の入力の信号に対して通常のインバータのように機能する。一方、第２の入力の論理制御信号が“０”レベルの時、当該ＮＡＮＤゲートは、その第１の入力の信号のレベルにかかわらず、その出力端に論理“１”を出力する。これによって、接続手段はもはや切り換えを行うことはできず、電力供給回路は非活性状態となる。
【００３４】
また本実施例では、変成器の二次巻線を回路の他の部分に接続するラインが無いので、ＥＬランプの一方の電極を接地することができる。
図３は本発明に係るＥＬランプ用電力供給回路の第３実施例を示す。図２の実施例と同様に、本実施例に係る電力供給回路を構成する要素は、チップ内で集積化される。ただし本実施例では、変成器４，６と参照番号２６で示される抵抗器については、集積回路チップの外部で実現されている。図２との対比から分かるように、チップ内に集積化されている部分、すなわち参照番号１７で示される枠によって囲まれている部分は、図２の回路における対応する部分と同一である。言い換えると、このことは、同じチップ１７を用いて図２の回路も図３の回路も実現できることを意味している。
【００３５】
この第３実施例では、第２実施例のようにＥＬランプ７の「ミラー」容量として機能するキャパシタ１５の一方の電極の電位をフィードバックライン１３を介して伝達する代わりに、ＥＬランプの一方の電極における電位を直接伝達するようにしている。
この第３実施例に係る回路の作動原理は、図２に関連して説明した実施例のものと類似している。しかしながら、本実施例において留意すべきことは、変成比に起因して、ＥＬランプの電極間の電圧が、図２の実施例におけるミラー容量１５の端子間に現れる電圧よりもかなり高いということである。そこで、各ＡＣＩの入力端（又はダイオード２３，２４）において過電圧の危険性を回避するために、フィードバックライン１３上に抵抗器２６が設けられている。十分に高い抵抗値をもった抵抗器２６を用いることにより、電圧降下を生じさせ、過電圧の危険性を無くすことができる。
【００３６】
【発明の効果】
以上説明したように本発明によれば、変成器を備えたＥＬランプ用電力供給回路において、蓄電池により電源供給を受ける一次巻線に循環して流れる電流が直流成分を含まないようにすることができ、それによって一次巻線から二次巻線へのエネルギー伝達レートを最適化することが可能となる。
【図面の簡単な説明】
【図１】本発明の第１実施例に係るＥＬランプ用電力供給回路の構成図である。
【図２】本発明の第２実施例に係るＥＬランプ用電力供給回路の構成図である。
【図３】本発明の第３実施例に係るＥＬランプ用電力供給回路の構成図である。
【符号の説明】
２…蓄電池
４…変成器の一次巻線
６…変成器の二次巻線
７…ＥＬランプ（キャパシタ）
８…インバータ（ＮＡＮＤゲート）
１２…マイクロコントローラ
１３…フィードバックライン（制御手段）
１５…キャパシタ（制御手段／ＥＬランプ７のミラー容量）
１７…集積回路チップ
１９，２０…通過電流抑制モジュール（ＡＣＩ）
２６…抵抗器（制御手段）
Ｔ１，Ｔ２…スイッチング用Ｐチャネルトランジスタ
Ｔ３，Ｔ４…スイッチング用Ｎチャネルトランジスタ
【図１】
0003850900.tif 000002
【図２】
0003850900.tif 000003
【図３】
0003850900.tif 000004